【事件の表示】
　平成　８年特許願第１５３５４１号「硬貨入出金装置」拒絶査定不服審判事件〔平成１０年　１月　６日出願公開、特開平１０−　　３５６６〕について、次のとおり審決する。
【結　論】
　本件審判の請求は、成り立たない。
【理　由】
１．手続の経緯及び本願発明
　本件審判請求に係る出願は、平成８年６月１４日付けの出願であって、平成１７年６月２日付けで拒絶査定（発送日：同年６月７日）がなされたところ、平成１７年７月７日に拒絶査定不服審判が請求されたものであり、その請求項１に係る発明は、平成１６年１２月２０日付手続補正書によって補正された明細書の特許請求の範囲の請求項１に記載された次のとおりのものである（以下、「本願発明」と言う。）。
「不規則に投入された硬貨を金種別に選別し、選別された硬貨を金種毎に金種別収納部に収納し、これらの金種別収納部から指定された金種の硬貨を指定された枚数だけ払い出すようにした硬貨入出金装置において、
　硬貨が投入されたときにその硬貨と同じ金種の前記金種別収納部が満杯状態の場合には、投入された硬貨と同じ金種の硬貨を前記金種別収納部から払い出させて金種別に仕切板で区切られた金種別オーバーフロー部に収納させるようにしたことを特徴とする硬貨入出金装置。」
　
２．刊行物に記載された事項
　原審において拒絶の理由に引用された、特開平７−２７２０４９号公報（以下、「引用例」と言う。）には、次の事項が図面と共に記載されている。
　Ａ．「【産業上の利用分野】この発明は電子キャッシュレジスタ等の金銭登録機から送出される信号により釣銭を自動的に払い出す釣銭自動払出し装置に関するものである。」（【０００１】）
　Ｂ．「この発明は上述した問題点に鑑みてなされたもので、その目的は硬貨の収納容量に左右されることなく薄型化を図ることができ、かつ収納硬貨を釣銭として払い出す硬貨払出手段の構成を簡略化してコストの低減を図ることのできる釣銭自動払出し装置を提供しようとするものである。」（【０００５】）
　Ｃ．「前記本体部６には、図３に示すように、硬貨収納カセット１４が設けられている。そして、この硬貨収納カセット１４には、図４に示すように、硬貨投入口１１より投入された硬貨を収納する硬貨収納手段としての複数の硬貨収納部１９が硬貨の種類に対応して設けられている。これらの硬貨収納部１９は、図５に示すように、底板１５と、この底板１５の後端に設けられた背板１６と、この背板１６の左右両端部から底板１５の前端に向けて延設された側板２０，２０とからなり、複数枚の硬貨を硬貨の面同士を重ね合せて横一列に収納可能な構造となっている。なお、前記底板１５の前端には、収納硬貨を払い出すための硬貨排出口２５（図４参照）が後述する硬貨払出ローラ２３との間に形成されている。」（【００１１】）
　Ｄ．「前記硬貨払出ローラ２３の下方には、硬貨払出ローラ２３により硬貨収納部１９の下方に送り出された硬貨をフロントカバー１０の上面左端部に形成された硬貨払出口５４に案内するガイド体５３（図６参照）が設けられている。そして、このガイド体５３の後端には、硬貨収納部１９からオーバーフローした硬貨を貯えるオーバーフロー容器５５が連設されており、このオーバーフロー容器５５とガイド体５３との接続部には、硬貨排出口２５から放出された硬貨をガイド体５３側とオーバーフロー容器５５側とに振り分ける振分機構５６が設けられている。」（【００１９】）
　Ｅ．「しかして、前記ＣＰＵ７０は、特に図１６に示す釣銭払出処理、図１７に示す硬貨収納処理、図１８に示すオーバーフロー処理及び図１９に示す収納満杯警告処理を、それぞれ以下の如く実行するように、ＲＯＭ７２内のプログラムによって制御されている。」（【００３３】）
　Ｆ．「これに対し、少なくとも１金種の収納枚数カウンタが上限枚数を越えている場合には、オーバーフロー有りを判断する。そして、振分機構駆動回路８２を介して振分機構５６への通電をオンする。また、モータ駆動回路８０を介して払出モータ６４への通電をオンする。さらに、収納枚数カウンタが上限枚数を越えている金種の排出対象硬貨が収納された硬貨収納部１９のシャッター部材駆動用ソレノイド２８を選択し、ソレノイド駆動回路８３を介してその選択したシャッター部材駆動用ソレノイド２８への通電をオンする。」（【００６１】）
　Ｇ．「これにより、振分機構５６は硬貨収納部１９からの排出硬貨をオーバーフロー容器５５側に案内する位置に移動する。また、硬貨払出ローラ２３が回転するとともに、対応するシャッター部材２６が開放して、硬貨収納部１９から対応する硬貨が１枚ずつ排出され、オーバーフロー容器５５へ収容される。」（【００６２】）
　
３．引用例に記載された発明
　上記摘記事項からみて、引用例には、次のような発明が記載されていると認められる（以下、「引用例記載の発明」と言う。）。
　「硬貨投入口より投入された硬貨を硬貨の種類に対応して硬貨収納部に収納し、金銭登録機からの信号により、硬貨収納部から必要な釣銭を払い出し、硬貨収納部からオーバーフローした硬貨をオーバーフロー容器に貯える、釣銭自動払出し装置であって、
　１金種の収納枚数が上限枚数を越えている場合は、該金種の硬貨を硬貨収納部から排出し、オーバーフロー容器へ収容される釣銭自動払出し装置。」
　
４．対比・判断
　本願発明と引用例記載の発明とを対比する。
　引用例記載の発明の「（硬貨の種類に対応する）硬貨収納部」、「オーバーフロー容器」は、本願発明の「金種別収納部」、「オーバーフロー部」に、それぞれ相当する。
　引用例記載の発明は、電子キャッシュレジスタに接続される「釣銭自動払出し装置」であるから、硬貨の投入が不規則であることは言うまでもなく、その作用からみて「硬貨入出金装置」と言い換えることができる。
　又、引用例記載の発明の「１金種の収納枚数が上限枚数を越えている場合」とは、硬貨が投入されたことより、投入された硬貨と同じ金種の硬貨収納部において上限枚数を越えている場合であるから、「硬貨が投入されたときに投入された硬貨と同じ金種の金種別収納部が満杯状態の場合」であると言える。
　したがって、本願発明１と引用例記載の発明とは、次の一致点、相違点を有するものと認められる。
【一致点】
　不規則に投入された硬貨を金種別に選別し、選別された硬貨を金種毎に金種別収納部に収納し、これらの金種別収納部から指定された金種の硬貨を指定された枚数だけ払い出すようにした硬貨入出金装置において、
　硬貨が投入されたときにその硬貨と同じ金種の前記金種別収納部が満杯状態の場合には、投入された硬貨と同じ金種の硬貨を前記金種別収納部から払い出させてオーバーフロー部に収納させるようにしたことを特徴とする硬貨入出金装置。
【相違点】
　オーバーフロー部が、本願発明では、金種別に仕切板で区切られた金種別オーバーフロー部であるのに対して、引用例記載の発明では、単にオーバーフロー容器と記載されている点。
　
　上記相違点について、検討する。
　本願発明に言う「従来の技術」は、リジェクト硬貨とオーバーフロー硬貨とが、リジェクト・オーバーフロー部に一緒に収納されるものである（本願明細書【０００３】参照）。
　本願発明は、金種別収納部に硬貨を補充する際に、上記リジェクト・オーバーフロー部に、一緒に入っている硬貨を選別する手間を省くために、リジェクト部とオーバーフロー部とを別にし、更に、オーバーフロー部を、硬貨を金種別に収納できるように、仕切板で区切ったものである。
　ところで、例えば、特開平６−２７４７４０号公報、特開平６−６８３３５号公報等に記載されるように、リジェクト硬貨とオーバーフロー硬貨とを別々の収納部に収納することは周知の技術手段であり、このようにすれば、少なくとも、正貨でないリジェクト硬貨と、正貨であるオーバーフロー硬貨とを仕分ける手間が省けることは明らかである。
　又、オーバーフロー硬貨は、オーバーフロー容器から取り出されて再利用されるものであることは、硬貨入出金装置において自明の技術的事項であるから、上記周知の技術手段においても、オーバーフロー硬貨を再利用することは言うまでもなく、再利用のためには、オーバーフロー硬貨を金種別に仕分けなければならないから、オーバーフロー硬貨の仕分けに手間がかかるということは、硬貨入出金装置における自明の課題である。
　してみると、この自明の課題を解決するために、上記周知の技術手段に倣って、リジェクト硬貨とオーバーフロー硬貨とを分けるだけでなく、オーバーフロー硬貨についても分けるようにすること、即ち、金種別に収納することは、当業者が容易に想到し得る事項であると認められる。
　特に、上記特開平６−２７４７４３号公報には、リジェクト硬貨とオーバーフロー硬貨とを別々に収納するについて、１つの収納ボックスの内部を二分するように仕切ったもの（【００２３】、【００２４】、図９参照）、即ち、仕切板により複数の収納場所に区切るようにしたものが記載されているから、オーバーフロー部を金種別のものとするに際し、仕切板で区切るようにすることも、当業者が容易に想到し得ることである。
　したがって、当該相違点を格別なものとすることはできない。
【作用効果】について
　本願発明の奏する作用効果についても、引用例及び周知の技術手段の奏する作用効果の総和以上の格別なものとも認められない
　
５．まとめ
　以上のとおり、本願発明は、上記引用例及び周知の技術手段に基づいて、当業者が容易に発明をすることができたものであるから、特許法第２９条第２項の規定により特許を受けることができない。
　よって、結論のとおり審決する。